(57)【要約】【課題】モニタの上下位置を調整できる車載用収容型モニタにおいて、一旦上下位置を調整すると、モニタを収容部に収容した後に再度使用位置に戻したときに、調整位置を設定することが必要でない車載用収容型モニタを提供する。【解決手段】収容部４内を水平移動するスライドスタンド２に対して回動および摺動自在に支持され、水平姿勢で前記スライドスタンドにより前記収容部内から突出した位置に移動された後、使用位置に回動されさらにスライドスタンドに対して摺動させることにより上下方向の位置調整が可能な車載用収容型モニタ１において、収容部４に固定された位置検出手段５によりモニタ１が前記収容部内の定位置に収容されたことを検出するように構成し、モニタ１の前記スライドスタンド２に対する摺動位置に拘らずモニタ１が前記収容部４の定位置に収容されるように構成した。【選択図】　　　　図１
2004098769.tif 000002
【特許請求の範囲】
【請求項１】
収容部内を水平移動するスライドスタンドに対して回動および摺動自在に支持され、水平姿勢で前記スライドスタンドにより前記収容部内から突出した位置に移動された後、使用位置に回動されさらにスライドスタンドに対して摺動させることにより上下方向の位置調整が可能な車載用収容型モニタにおいて、収容部に固定された位置検出手段によりモニタが前記収容部内の定位置に収容されたことを検出するように構成し、モニタの前記スライドスタンドに対する摺動位置に拘らずモニタが前記収容部の定位置に収容されるように構成した車載用収容型モニタ。
【請求項２】
収容部内を水平移動するスライドスタンドに対して回動および摺動自在に支持され、水平姿勢で前記スライドスタンドにより前記収容部内から突出した第１の位置に移動された後、使用位置に回動され、さらに、第２の位置まで後退され、前記第１の位置または第２の位置でスライドスタンドに対して摺動させることにより上下方向の位置調整が可能な車載用収容型モニタにおいて、収容部に固定された位置検出手段によりモニタが前記収容部内の定位置に収容されたことを検出するように構成し、モニタの前記スライドスタンドに対する摺動位置に拘らずモニタが前記収容部の定位置に収容されるように構成した車載用収容型モニタ。
【請求項３】
前記位置検出手段をモニタに設けられた凹みを検出するスイッチとした請求項１または２の車載用収容型モニタ。
【発明の詳細な説明】
【０００１】
【発明の属する技術分野】
この発明は車載用テレビジョン等のモニタに係わり、特に、収容部に収容される収容型モニタに関する。
【０００２】
【従来の技術】
車載用テレビジョンやナビゲーション装置等のモニタを不使用時には車両のダッシュボードに設けられた電子機器収容凹部の内部に収容し、使用時に電子機器収容凹部から突出させて画面が見える位置に移動させる車載用収容型モニタが知られている。
【０００３】
従来のそのような車載用収容型モニタの例を図１１（ａ）〜（ｂ）に示す。図１１（ａ）および図１１（ｂ）に示す車載用収容型モニタでは、車両の電子機器収容凹部に収容されている収容部４にスライドスタンド２が水平方向移動自在に支持されており、スライドスタンド２がモニタ１を回動自在に支持している。
【０００４】
モニタ１はスライドスタンド２が水平方向に移動することにより図１１（ａ）の図の実線で示す位置から点線で示す位置に矢印で示すように水平方向位置が調整可能である。また、モニタ１はスライドスタンド２に軸を介して回動可能となっており、図１１（ｂ）の図の実線で示す位置から点線で示す位置に矢印で示す傾斜角度を調整できる。モニタ１を収容部４に収容するときはモニタ１を水平状態としてスライドスタンド２を後退させることによりモニタ１が収容部４内部に収容される。
【０００５】
図１１（ｃ）に示すものは特開平８−２７９９７１号公報にも示されているが、収容部４に移動自在に支持されたスライドスタンド２に対してモニタ１を図１１（ｃ）の実線で示す位置から点線で示す位置に矢印で示すように上下の位置を調整できる。
【０００６】
【発明が解決しようとする課題】
上記した従来図１１（ａ）〜（ｂ）に従来の車載用収容型モニタでは、例えば、図１２（ａ）に示すように電子機器の操作部１０やエアコン吹出口１１がモニタ１の背後に隠されるときに図１２（ｂ）に示すようにモニタ１を傾けて操作部１０が見えるようにして操作したり、エアコン吹出口１１から空気が車室内に入るようにしなければならない。しかしながらこのようにモニタ１を傾けると、モニタ１の画面を見ることができなかった。
【０００７】
図１１（ｃ）に示す車載用収容型モニタではエアコン吹出口や電子機器の操作部を隠さない位置にモニタ１を移動させて、しかも画面を見ることができるが、モニタ１を収容するときは調整した位置から元の位置に戻して収容部４にモニタ１を収容し、モニタ１を再度使用するときはあらためてモニタ１の位置を調整しなければならず、面倒であった。
【０００８】
この発明は上記した点に鑑みてなされたものであって、その目的とするところは、モニタの上下位置を調整できる車載用収容型モニタにおいて、一旦上下位置を調整すると、モニタを収容部に収容した後に再度使用位置に戻したときに、調整位置を設定することが必要でない車載用収容型モニタを提供することにある。
【０００９】
【課題を解決するための手段】
この発明の車載用収容型モニタは、収容部内を水平移動するスライドスタンドに対して回動および摺動自在に支持され、水平姿勢で前記スライドスタンドにより前記収容部内から突出した位置に移動された後、使用位置に回動されさらにスライドスタンドに対して摺動させることにより上下方向の位置調整が可能な車載用収容型モニタにおいて、収容部に固定された位置検出手段によりモニタが前記収容部内の定位置に収容されたことを検出するように構成し、モニタの前記スライドスタンドに対する摺動位置に拘らずモニタが前記収容部の定位置に収容されるように構成したものである。
【００１０】
また、この発明の車載用収容型モニタは、収容部内を水平移動するスライドスタンドに対して回動および摺動自在に支持され、水平姿勢で前記スライドスタンドにより前記収容部内から突出した第１の位置に移動された後、使用位置に回動され、さらに、第２の位置まで後退され、前記第１の位置または第２の位置でスライドスタンドに対して摺動させることにより上下方向の位置調整が可能な車載用収容型モニタにおいて、収容部に固定された位置検出手段によりモニタが前記収容部内の定位置に収容されたことを検出するように構成し、モニタの前記スライドスタンドに対する摺動位置に拘らずモニタが前記収容部の定位置に収容されるように構成したものである。
【００１１】
また、前記各車載用収容型モニタにおいて、前記位置検出手段をモニタに設けられた凹みを検出するスイッチとしたものである。
【００１２】
上記構成により、モニタの上下位置を一旦その車種に適した位置に設定すると、その後、モニタを収容位置と使用位置との間で出し入れしても再度上下方向の位置を調整する必要がなくなる。
【００１３】
【発明の実施の形態】
この発明の実施例である車載用収容型モニタを図面に基づいて説明する。図１はこの発明の第１の実施例である車載用収容型モニタの部材の一部を透視して示す概略側面図である。
【００１４】
図１に示す収容部４は車両のダッシュボードに設けられた電子機器収容凹部の内部に固定されている。スライドスタンド２は収容部４に固定されたガイドレール４ａに水平移動自在に支持されており、図示していないモータ、減速機構、ラック、ピニオン等の駆動機構により収容部４内で水平方向に駆動される。
【００１５】
スライドスタンド２に設けられたスイッチ作動部材２ｂがスライドスタンド２の最前進位置で収容部４に固定されたスライドスタンド前進位置検出スイッチ６を作動させることによりスライドスタンド２の前方向の移動範囲が限定される。
【００１６】
スライドスタンド２に固定された回動部材支持軸２ａは回動部材３を回動自在に支持している。回動部材３はモニタ１に固定されたスライドガイドレール１ｂを摺動自在に挾持している。
【００１７】
従って、モニタ１は回動部材支持軸２ａ、回動部材３およびスライドガイドレール１ｂを介してスライドスタンド２に摺動および回動自在に支持されているが、スライドガイドレール１ｂおよび回動部材支持軸２ａにはばね等により適度の摩擦力が加えられ、摺動位置および回動位置は力を加えなければ動かない構造となっている。
【００１８】
モニタ１が水平状態とされ、スライドスタンド２により収容部４の所定の位置引き込まれた図１に示す状態では収容部４に固定されたモニタ収容位置検出スイッチ５の作動子がモニタ１の凹み１ａに入り込むことによりモニタ１の収容位置が検出され、この位置でスライドスタンド２が停止される。この状態ではパネル前面４ｂに対してモニタ１のトップ面１ｃが所定の位置関係となる。
【００１９】
スライドスタンド２が前進位置にあるとき、図２に示すようにモニタ１を回動部材３と共に回動部材支持軸２ａ回りに回動させて立てることができる。この状態で、モニタ１を回動部材３に対して矢印方向に摺動させて上下方向の移動範囲内で上下位置を調整することができる。
【００２０】
次に、図３を参照してモニタ１を収容位置から使用位置に移動させる動作に付いて説明する。先ず、図３（ａ）に示す収容位置から図示していない操作キーを操作することにより、スライドスタンド２を図２（ｂ）の矢印方向に移動させてモニタ１をパネル前面から突出させる。このときモニタ収容位置検出スイッチ５の作動子がモニタ１の凹み１ａから出てモニタ１に押えられることによりモニタ１が収容位置から前進したことが検出される。
【００２１】
さらに、モニタ１が図３（ｃ）に示すように前進すると、収容位置検出スイッチ５の作動子がモニタ１から離れて突出することによりモニタ１が所定位置まで前進したことが検出される。
【００２２】
モニタ１が図３（ｄ）に示すように前進すると、モニタ１のスイッチ作動部２ｂがスライドスタンド前進位置検出スイッチ６を作動させスライドスタンド２が停止される。図３（ｄ）に示す位置で図３（ｅ）に示すようにモニタ１を立てた後、図示していない操作キーを操作することにより、スライドスタンド２を図３（ｆ）示す位置まで後退させて停止させる。スライドスタンド２は操作スイッチを離すことにより停止させてもよく、また図示していない位置検出スイッチにより停止させてもよい。
【００２３】
次に、図４を参照してモニタ１を図３（ｆ）に示す位置から収容部４の定位置に収容する動作に付いて説明する。先ず、図３（ｆ）に示す位置から図示していない操作キーを操作することにより、スライドスタンド２を図４（ａ）の矢印方向に移動させてモニタ１をパネル前面から最前進位置に突出させる。
【００２４】
この位置でモニタ１を図４（ｂ）の矢印で示す方向に回動させて水平姿勢とする。さらに、図示していない操作キーを操作することにより、スライドスタンド２を図４（ｃ）で矢印で示す方向に後退させる。スライドスタンド２が後退して図４（ｄ）に示すように、モニタ収容位置検出スイッチ５の作動子がモニタ１の凹み１ａに入り込むことによりスライドスタンド２が停止する。このようにしてモニタ１は図１に示す収容位置に収容される。
【００２５】
図３および図４ではモニタ１のが最上位置で使用される場合に付いて示しているが、モニタ１の使用位置は上下方向に調整することができる。すなわち、図３（ｆ）に示す位置で、モニタ１を上下方向にスライドさせて使用位置を調整できる。図５（ａ）はモニタ１を矢印方向にスライドさせて最上位置と最下位置との間の中間位置に調整した状態を示している。
【００２６】
図５（ａ）に示す位置から図示していない操作キーを操作することにより、スライドスタンド２を図５（ｂ）の矢印方向に移動させてモニタ１をパネル前面から最前進位置に突出させる。
【００２７】
この位置でモニタ１を図５（ｃ）の矢印で示す方向に回動させて水平姿勢とする。さらに、図示していない操作キーを操作することにより、スライドスタンド２を図５（ｄ）で矢印で示す方向ら後退させる。そして、モニタ１は後退して図５（ｄ）に示す収容位置に収容される。なお、図５（ｄ）はモニタ収容位置検出スイッチ５とモニタ１の凹み１ａを示していないが図４で説明した通りモニタ１は収容部４の定位置に収容される。
【００２８】
図６（ａ）はモニタ１を矢印方向にスライドさせて最下位置に調整した状態を示している。図６（ａ）に示す位置から図示していない操作キーを操作することにより、スライドスタンド２を図６（ｂ）の矢印方向に移動させてモニタ１をパネル前面から最前進位置に突出させる。
【００２９】
この位置でモニタ１を図６（ｃ）の矢印で示す方向に回動させて水平姿勢とする。さらに、図示していない操作キーを操作することにより、スライドスタンド２を図６（ｄ）で矢印で示す方向ら後退させる。そしてモニタ１は後退して図６（ｄ）に示す収容位置に収容される。
【００３０】
なお、モニタ１が定位置に収容されることは図５で説明した通りである。このように、モニタ１を水平位置とするときに、スライドスタンド２が前進しているので、モニタ１は最上位置と最下位置との間でに調整したまま水平状態として定位置に収容できる。
【００３１】
図７によりモニタ１を図４（ｄ）に示すように最上位置として収納した状態から使用位置に出す動作を説明する。図７（ａ）に示すようにモニタ１が収容位置にある状態で操作キーを操作することにより、スライドスタンド２を図７（ｂ）に示す位置に移動させてモニタ１をパネル前面から最前進位置に突出させる。この位置でモニタ１を矢印で示す方向に回動させて立てる。さらに、図示していない操作キーを操作することにより、スライドスタンド２を後退させてモニタ１を図８（ｃ）に示す使用位置とする。このとき、モニタ１は図３（ｆ）に示した位置に戻されている。
【００３２】
図８によりモニタ１を図５（ｄ）に示すように最上位置と最下位置との中間位置に調整して収納した状態から使用位置に出す動作を説明する。図８（ａ）に示すようにモニタ１が収容位置にある状態で操作キーを操作することにより、スライドスタンド２を図８（ｂ）に示す位置に移動させてモニタ１をパネル前面から最前進位置に突出させる。
【００３３】
この位置でモニタ１を矢印で示す方向に回動させて立てる。さらに、図示していない操作キーを操作することにより、スライドスタンド２を後退させてモニタ１を図８（ｃ）に示す使用位置とする。このとき、モニタ１は図５（ａ）に示した位置に戻されている。
【００３４】
図９によりモニタ１を図６（ｄ）に示すように最下位置に調整して収納した状態から使用位置に出す動作を説明する。図９（ａ）に示すようにモニタ１が収容位置にある状態で操作キーを操作することにより、スライドスタンド２を図９（ｂ）に示す位置に移動させてモニタ１をパネル前面から最前進位置に突出させる。
【００３５】
この位置でモニタ１を矢印で示す方向に回動させて立てる。さらに、図示していない操作キーを操作することにより、スライドスタンド２を後退させてモニタ１を図９（ｃ）に示す使用位置とする。このとき、モニタ１は図６（ａ）に示した位置に戻されている。このように、モニタ１を上下にスライドさせて車種に合った位置に一旦調整すると、収納後、再度使用位置に出すときに上下方向の位置を調整する必要がない。
【００３６】
実施例ではモニタ１を垂直に立てて使用する状態が示されているが、見やすいように傾斜させて使用することもできる。また、モニタを駆動機構により回動させるようにしてもよい。さらに、モニタ収容位置検出スイッチ５をモニタのボトム面で作動させるようにしてもよい。
【００３７】
図１０はこの発明の第２の実施例である車載用収容型モニタの部材の一部を透視して示す概略側面図である。この例ではモニタ１の背面で作動されるモニタ検出スイッチ７が設けられている。他の構成は第１の実施例と同様である。第１の実施例によると、モニタ１が図３（ａ）に示す位置にあるときと、図３（ｃ）に示す位置にあるときをモニタ収容位置検出スイッチ５のみでは識別できない。従って、モニタ移動中に電源が切れると誤動作する恐れがある。
【００３８】
この例によると、モニタ１が図３（ｃ）に示す位置に移動してモニタ収容位置検出スイッチ５の作動子が突出してもモニタ検出スイッチ７の作動子がモニタ１の背面で押えられているので図３（ｃ）に示す位置にあることを識別できる。
【００３９】
【発明の効果】
この発明の車載用収容型モニタによれば、モニタの上下位置を調整することによりエアコンの吹出口をモニタが塞がない位置としたり、電子機器等の操作の邪魔にならない位置とすることができる。
【００４０】
そして、車種に応じてモニタの上下位置を最適に設定すると、それ以後はモニタを出し入れしても再度上下位置を設定する必要がない。
【図面の簡単な説明】
【図１】この発明の第１の実施例である車載用収容型モニタの部材の一部を透視して示す概略側面図である。
【図２】同車載用収容型モニタの他の状態における部材の一部を透視して示す概略部分側面図である。
【図３】同車載用収容型モニタの作用を示す概略側面図である。
【図４】同車載用収容型モニタの作用を示す概略側面図である。
【図５】同車載用収容型モニタの作用を示す概略側面図である。
【図６】同車載用収容型モニタの作用を示す概略側面図である。
【図７】同車載用収容型モニタの作用を示す概略側面図である。
【図８】同車載用収容型モニタの作用を示す概略側面図である。
【図９】同車載用収容型モニタの作用を示す概略側面図である。
【図１０】この発明の第２の実施例である車載用収容型モニタの部材の一部を透視して示す概略側面図である。
【図１１】従来の車載用収容型モニタの例を示す概略側面図である。
【図１２】従来の車載用収容型モニタの使用状態の例を示す概略側面図である。
【符号の説明】
１　モニタ、１ａ　凹み、１ｂ　スライドガイドレール、１ｃ　トップ面
２　スライドスタンド、２ａ　回動部材支持軸、２ｂ　スイッチ作動部材
３　回動部材
４　収容部、４ａ　ガイドレール、４ｂ　パネル前面
５　モニタ収容位置検出スイッチ
６　スライドスタンド前進位置検出スイッチ
７　モニタ検出スイッチ
１０　操作部
１１　エアコン吹出口
【図１】
2004098769.tif 000003
【図２】
2004098769.tif 000004
【図３】
2004098769.tif 000005
【図４】
2004098769.tif 000006
【図５】
2004098769.tif 000007
【図６】
2004098769.tif 000008
【図７】
2004098769.tif 000009
【図８】
2004098769.tif 000010
【図９】
2004098769.tif 000011
【図１０】
2004098769.tif 000012
【図１１】
2004098769.tif 000013
【図１２】
2004098769.tif 000014